(57)【要約】【課題】密着型スキャナを有するカード状媒体処理装置において、より精度の高い画像を取得することが可能なカード状媒体処理装置を提供すること。【解決手段】カード状媒体処理装置１は、カード状媒体２が搬送される搬送路５と、搬送路５で搬送されるカード状媒体２の表面に対向するように配置されカード状媒体２の表面を読み取る密着型スキャナ３と、カード状媒体２の表面に向かってかつＺ方向へ密着型スキャナ３を付勢する付勢手段１５と、Ｚ方向へ密着型スキャナ３を案内する案内手段とを備えている。【選択図】図１
2009303085.tif 000002
【特許請求の範囲】
【請求項１】
カード状媒体が搬送される搬送路と、前記搬送路で搬送される前記カード状媒体の表面に対向するように配置され前記カード状媒体の表面を読み取る密着型スキャナと、前記搬送路で搬送される前記カード状媒体の厚み方向へかつ前記カード状媒体の表面に向かって前記密着型スキャナを付勢する付勢手段と、前記カード状媒体の厚み方向へ前記密着型スキャナを案内する案内手段とを備えることを特徴とするカード状媒体処理装置。
【請求項２】
前記付勢手段は、前記カード状媒体の搬送方向と前記カード状媒体の厚み方向とに略直交する前記カード状媒体の幅方向に所定の間隔をあけた状態で配置される複数の圧縮コイルバネであることを特徴とする請求項１記載のカード状媒体処理装置。
【請求項３】
前記案内手段は、前記密着型スキャナを保持する保持部材に形成される突起部と、前記カード状媒体の搬送方向で前記突起部に対向配置され前記突起部に当接する当接部と、前記当接部と前記突起部とが当接するように前記保持部材を付勢する付勢部材とを備え、
前記突起部および前記当接部の少なくともいずれか一方には、前記付勢部材の付勢力で前記突起部または前記当接部に当接するとともに前記カード状媒体の搬送方向に略直交する平面状の平面部が形成されていることを特徴とする請求項１または２記載のカード状媒体処理装置。
【請求項４】
前記突起部は、前記保持部材の、前記カード状媒体の搬送方向の一方側に形成され、
前記付勢部材は、前記保持部材の、前記カード状媒体の搬送方向の他方側に配置されていることを特徴とする請求項３記載のカード状媒体処理装置。
【請求項５】
前記突起部は、前記保持部材の、前記カード状媒体の搬送方向と前記カード状媒体の厚み方向とに略直交する前記カード状媒体の幅方向の両端側の２箇所に形成され、
前記付勢部材は、前記保持部材の、前記カード状媒体の幅方向の略中心位置に配置されていることを特徴とする請求項４記載のカード状媒体処理装置。
【請求項６】
前記密着型スキャナとして、前記搬送路を挟んで対向配置される第１密着型スキャナと第２密着型スキャナとを備え、
前記第１密着型スキャナは、前記付勢手段によって付勢され前記カード状媒体の厚み方向へ移動可能であり、
前記第２密着型スキャナは、前記搬送路に面するように固定されていることを特徴とする請求項１から５いずれかに記載のカード状媒体処理装置。
【発明の詳細な説明】
【技術分野】
【０００１】
本発明は、カード状媒体の表面を読み取る密着型スキャナを備えるカード状媒体処理装置に関する。
【背景技術】
【０００２】
銀行のＡＴＭ（Ａｕｔｏ  Ｔｅｌｌｅｒ  Ｍａｃｈｉｎｅ）等で使用されているカードリーダとして、カードのエンボス文字等を撮影して画像を取得するための密着型スキャナを備えるカードリーダが本出願人によって提案されている（たとえば、特許文献１および２参照。）。
【０００３】
この特許文献１および２に記載のカードリーダでは、密着型スキャナを保持するホルダが圧縮コイルバネの付勢力でカード搬送路に向かって付勢されている。具体的には、ホルダは、密着型スキャナを保持する保持部とこの保持部よりもカードの搬送方向の奥側に配置されるバネ当接部とを備えており、圧縮コイルバネによってバネ当接部がカード搬送路に向かって付勢されている。
【０００４】
このカードリーダでは、バネ当接部に当接する圧縮コイルバネによって密着型スキャナを保持するホルダがカード搬送路に向かって付勢されているため、カード搬送路を搬送されるカードがたとえ湾曲していたとしても、カードと密着型スキャナとの間隔を一定に保つことが可能になる。したがって、このカードリーダでは、被写界深度が浅い密着型スキャナを搭載しているにもかかわらず、カードのエンボス文字等の適切な画像を取得することが可能になる。
【０００５】
【特許文献１】特開２００２−３４２７５１号公報
【特許文献２】特開２００５−２７２０５号公報
【発明の開示】
【発明が解決しようとする課題】
【０００６】
上述のように、特許文献１および２に記載のカードリーダでは、被写界深度が浅い密着型スキャナを搭載しているにもかかわらず、カードのエンボス文字等の適切な画像を取得することが可能になる。一方、市場では、密着型スキャナを搭載しているカードリーダで、より精度の高い画像を取得したいとのニーズが高まっている。
【０００７】
そこで、本発明の課題は、密着型スキャナを有するカード状媒体処理装置において、より精度の高い画像を取得することが可能なカード状媒体処理装置を提供することにある。
【課題を解決するための手段】
【０００８】
上記の課題を解決するため、本発明のカード状媒体処理装置は、カード状媒体が搬送される搬送路と、搬送路で搬送されるカード状媒体の表面に対向するように配置されカード状媒体の表面を読み取る密着型スキャナと、搬送路で搬送されるカード状媒体の厚み方向へかつカード状媒体の表面に向かって密着型スキャナを付勢する付勢手段と、カード状媒体の厚み方向へ密着型スキャナを案内する案内手段とを備えることを特徴とする。
【０００９】
本発明のカード状媒体処理装置では、カード状媒体の表面を読み取る密着型スキャナを、付勢手段が、カード状媒体の厚み方向へかつカード状媒体の表面に向かってへ付勢している。また、案内手段が密着型スキャナをカード状媒体の厚み方向へ案内している。そのため、湾曲したカード状媒体が搬送路で搬送され、このカード状媒体が密着型スキャナに接触して、密着型スキャナがカード状媒体の湾曲状態に応じてカード状媒体の厚み方向へ退避する場合であっても、密着型スキャナを傾斜させずに退避させることが可能になる。したがって、本発明では、湾曲したカード状媒体であってもその表面を精度良く読み取ることが可能になり、その結果、より精度の高い画像を取得することが可能になる。
【００１０】
また、本発明のカード状媒体処理装置では、湾曲したカード状媒体が搬送路で搬送されても、密着型スキャナがカード状媒体の湾曲状態に応じて退避するため、カード状媒体が密着型スキャナに大きな接触力で接触するのを防止することが可能になる。したがって、搬送路で搬送されるカード状媒体の搬送負荷を低減することが可能になる。また、搬送路に面するように配置される密着型スキャナのガラス面の損傷を防止することが可能になり、カード状媒体の表面を読み取る際の、ガラス面の損傷に起因する読み取り品質の低下を防止することが可能になる。
【００１１】
本発明において、付勢手段は、カード状媒体の搬送方向とカード状媒体の厚み方向とに略直交するカード状媒体の幅方向に所定の間隔をあけた状態で配置される複数の圧縮コイルバネであることが好ましい。このように構成すると、カード状媒体の幅方向で密着型スキャナを傾斜させずに密着型スキャナを退避させることが可能になる。したがって、より精度の高い画像を取得することが可能になる。
【００１２】
本発明において、案内手段は、密着型スキャナを保持する保持部材に形成される突起部と、カード状媒体の搬送方向で突起部に対向配置され突起部に当接する当接部と、当接部と突起部とが当接するように保持部材を付勢する付勢部材とを備え、突起部および当接部の少なくともいずれか一方には、付勢部材の付勢力で突起部または当接部に当接するとともにカード状媒体の搬送方向に略直交する平面状の平面部が形成されていることが好ましい。このように構成すると、簡易な構成で、密着型スキャナをカード状媒体の厚み方向へ直線状に案内することができる。
【００１３】
本発明において、突起部は、保持部材の、カード状媒体の搬送方向の一方側に形成され、付勢部材は、保持部材の、カード状媒体の搬送方向の他方側に配置されていることが好ましい。また、この場合には、突起部は、保持部材の、カード状媒体の搬送方向とカード状媒体の厚み方向とに略直交するカード状媒体の幅方向の両端側の２箇所に形成され、付勢部材は、保持部材の、カード状媒体の幅方向の略中心位置に配置されていることが好ましい。このように構成すると、密着型スキャナを保持する保持部材が３点で支持されるため、退避するときの密着型スキャナがカード状媒体の搬送方向で傾斜するのを防止することが可能になる。
【００１４】
本発明において、カード媒体処理装置は、たとえば、密着型スキャナとして、搬送路を挟んで対向配置される第１密着型スキャナと第２密着型スキャナとを備え、第１密着型スキャナは、付勢手段によって付勢されカード状媒体の厚み方向へ移動可能であり、第２密着型スキャナは、搬送路に面するように固定されている。このように構成すると、第１密着型スキャナと第２密着型スキャナが搬送路を挟んで対向配置されるため、カード状媒体の両面を読み取るために２個の密着型スキャナが設けられる場合であっても、カード状媒体の搬送方向でカード媒体処理装置を小型化することができる。また、湾曲したカード状媒体が搬送路で搬送されると、第１密着型スキャナがカード状媒体の湾曲状態に応じて退避するため、カード状媒体が第１密着型スキャナおよび第２密着型スキャナに大きな接触力で接触するのを防止することが可能になる。したがって、搬送路で搬送されるカード状媒体の搬送負荷を低減すること、および、第１密着型スキャナ、第２密着型スキャナのガラス面の損傷に起因する画像品質の低下を防止することが可能になる。
【発明の効果】
【００１５】
以上のように、本発明では、密着型スキャナを有するカード状媒体処理装置において、より精度の高い画像を取得することが可能になる。
【発明を実施するための最良の形態】
【００１６】
以下、本発明の実施の形態を図面に基づいて説明する。
【００１７】
（カード状媒体処理装置の概略構成）
図１は、本発明の実施の形態にかかるカード状媒体処理装置１の内部の概略構成を説明するための側面図である。
【００１８】
本形態のカード状媒体処理装置１は、カード状媒体２の表面の文字等を読み取ってカード状媒体２の表面の文字等の画像を取得するための装置である。このカード状媒体処理装置１は、図１に示すように、カード状媒体２の表面を読み取る２個の密着型スキャナ３、４と、カード状媒体処理装置１内でカード状媒体２を搬送するためのカード搬送機構とを備えている。また、カード状媒体処理装置１内には、カード状媒体２が搬送される搬送路５が図１の左右方向に直線状に形成されている。
【００１９】
本形態では、Ｘ方向（図１の左右方向）にカード状媒体２が搬送される。すなわち、Ｘ方向はカード状媒体２の搬送方向である。また、Ｘ方向に直交するＹ方向（図１の紙面垂直方向）は、カード状媒体２の幅方向（具体的には、カード状媒体２の短手幅方向）であり、Ｘ方向およびＹ方向に直交するＺ方向（図１の上下方向）は、カード状媒体２の厚み方向である。なお、以下の説明では、カード状媒体２の入口側となるＸ１方向側を「手前」側、その反対側となるＸ２方向側を「奥」側とし、Ｚ１方向側を「上」側、Ｚ２方向側を「下」側とする。
【００２０】
本形態のカード状媒体２は、比較的硬いカード状の媒体であり、たとえば、厚さが０．７〜０．８ｍｍ程度の矩形状の塩化ビニール製のカードである。このカード状媒体２の両表面（表側の面および裏側の面）には、文字や図形、模様等が描かれている。また、このカード状媒体２の表面には、磁気情報が記録される磁気ストライプが形成されたり、ＩＣチップが固定されている。なお、カード状媒体２には、通信用のアンテナが内蔵されても良いし、カード状媒体２の表面には、感熱方式によって印字が行われる印字部が形成されても良い。また、カード状媒体２は、厚さが０．１８〜０．３６ｍｍ程度のＰＥＴ（ポリエチレンテレフタレート）カードや、所定の厚さの紙カード等であっても良い。
【００２１】
カード搬送機構は、カード状媒体２の表面に当接してカード状媒体２を搬送する搬送ローラ６、７、８と、搬送ローラ６〜８のそれぞれに対向するとともに搬送ローラ６〜８のそれぞれに向かって付勢されるパッドローラ９、１０、１１とを備えている。搬送ローラ６〜８は、モータ等からなる駆動機構（図示省略）に連結されている。また、搬送ローラ６〜８は、搬送路５の上面側に配置され、パッドローラ９〜１１は、搬送路５の下面側に配置されている。また、搬送ローラ６〜８は、手前側から奥側に向かってこの順番で配置されている。
【００２２】
密着型スキャナ３と密着型スキャナ４とは同じ構成を備えている。この密着型スキャナ３、４は、そのガラス面がカード状媒体２の表面に対向するように配置されるとともに、搬送路５を挟んで互いに対向配置されている。具体的には、密着型スキャナ３が、搬送路５の上面側に配置され、密着型スキャナ４が、搬送路５の下面側に配置されている。また、Ｘ方向において、密着型スキャナ３、４は搬送ローラ７、８の間に配置されている。具体的には、密着型スキャナ３の光が密着型スキャナ４に入射しないように、かつ、密着型スキャナ４の光が密着型スキャナ３に入射しないように、密着型スキャナ４は、密着型スキャナ３よりもわずかに入口側に配置されている。
【００２３】
密着型スキャナ３は、搬送路５の上側に配置されるホルダ１４の内部に固定されている。ホルダ１４は、付勢手段１５によって搬送路５に向かって下方向へ付勢されるとともに、Ｚ方向へ移動可能となっている。すなわち、密着型スキャナ３は、付勢手段１５によって搬送路５に向かって付勢され、Ｚ方向へ移動可能となっている。一方、密着型スキャナ４は、搬送路５に面するように、搬送路５の下面側を構成するブロック部材１６に固定されている。本形態では、密着型スキャナ３は、付勢手段１５によって付勢されＺ方向へ移動可能な第１密着型スキャナであり、密着型スキャナ４は、搬送路５に面するように固定された第２密着型スキャナである。
【００２４】
なお、本形態では、湾曲していない真っ直ぐなカード状媒体２が搬送される場合に、カード状媒体２の表面と密着型スキャナ３、４のガラス面との間に隙間が形成されるように、密着型スキャナ３の移動下限が設定され、また、密着型スキャナ４が固定されている。
【００２５】
（付勢手段、ホルダおよびその周辺部の構成）
図２は、図１に示すホルダ１４およびその周辺部分の構成を示す拡大図である。図３は、図２のＥ−Ｅ方向からホルダ１４等の概略構成を示す概略図である。
【００２６】
上述のように、ホルダ１４は、付勢手段１５によって搬送路５に向かって付勢されている。本形態の付勢手段１５は、圧縮コイルバネであり（以下、本形態の付勢部材１５を「圧縮コイルバネ１５」と表記する。）、Ｙ方向に所定の間隔をあけた状態で配置される２本の圧縮コイルバネ１５によって、ホルダ１４が搬送路５に向かって付勢されている。圧縮コイルバネ１５には、図３に示すように、搬送路５の上面側を構成する第１のブロック部材１８に上下方向を長手方向として形成された棒状突起１８ａが挿通されている。
【００２７】
ホルダ１４の上面には、図３に示すように、圧縮コイルバネ１５の下端側および棒状突起１８ａの下端側が配置される段付きの配置凹部１４ａが形成されている。また、ホルダ１４の手前側の面１４ｂには、手前側に向かって突出する２個の突起部１４ｃが形成されている。さらに、ホルダ１４の上面側には、ホルダ１４を手前側に向かって付勢する付勢部材としての板バネ１９が固定されるバネ固定部１４ｄが形成されている。
【００２８】
配置凹部１４ａは、Ｘ方向では、ホルダ１４の略中心位置に形成されるとともに、Ｙ方向では、ホルダ１４の両端の近傍に形成されている。配置凹部１４ａの底面には、図３に示すように、棒状突起１８ａの下端が当接している。配置凹部１４ａの段部には、圧縮コイルバネ１５の下端が当接している。また、圧縮コイルバネ１５の上端は、棒状突起１８ａの上端（基端）側で第１のブロック１８に当接しており、ホルダ１４は上側に配置される圧縮コイルバネ１５によって下方向へ直線状に付勢されている。
【００２９】
上述のように、密着型スキャナ３は、ホルダ１４の内部に固定されている。具体的には、密着型スキャナ３は、ホルダ１４の下端側に形成された凹部の中に固定されている。また、密着型スキャナ３は、ホルダ１４のＸ方向の略中心位置に固定されている。また、ホルダ１４のＹ方向の幅は、密着型スキャナ３のＹ方向の幅とほぼ等しくなっている。そのため、密着型スキャナ３は、圧縮コイルバネ１５によって、ホルダ１４とともに搬送路５に向かって下方向へ直線状に付勢されている。
【００３０】
突起部１４ｃは、ホルダ１４の下端からホルダ１４の上下方向の略中心位置まで形成されている。また、２個の突起部１４ｃは、Ｙ方向に所定の間隔をあけた状態でホルダ１４のＹ方向の両端側に形成されている。突起部１４ｃの手前端の下端側部分は、図１に示すように、ＹＺ平面（Ｙ方向とＺ方向とから形成される平面）に平行な平面部１４ｅとなっている。
【００３１】
バネ固定部１４ｄは、ＸＹ平面（Ｘ方向とＹ方向とから形成される平面）に平行な平面状に形成されるとともに、ホルダ１４の奥端側に形成されている。また、バネ固定部１４ｄは、ホルダ１４のＹ方向の略中心位置に形成されている。
【００３２】
板バネ１９は、バネ固定部１４ｄに当接して固定される平板状部分と、ホルダ１４の奥側にＹＺ平面と略平行に配置される平板状部分とを有する略Ｌ形状に形成されている。上述のように、バネ固定部１４ｄは、ホルダ１４のＹ方向の略中心位置に形成されており、板バネ１９は、ホルダ１４のＹ方向の略中心位置に配置されている。
【００３３】
第１のブロック部材１８におけるホルダ１４の奥側部分には、板バネ１９の配置位置に対応するようにバネ当接部１８ｂが形成されている。また、第１のブロック部材１８とともに搬送路５の上面側を構成する第２のブロック部材２０には、突起部１４ｃに対向配置される２個の当接部２０ａが形成されている。具体的には、図１に示すように、第２のブロック部材２０における搬送ローラ７の奥側部分に奥側に向かって突出する当接部２０ａが２個形成されている。当接部２０ａの奥端の下端側部分は、図１に示すように、ＹＺ平面に平行な平面部２０ｂとなっている。
【００３４】
板バネ１９の下端側は、第１のブロック部材１８のバネ当接部１８ｂに当接しており、板バネ１９は、ホルダ１４を手前側に付勢している。また、突起部１４ｃは、板バネ１９の付勢力で、第２のブロック部材２０の当接部２０ａに当接している。具体的には、突起部１４ｃの平面部１４ｅと当接部２０ａの平面部２０ｂとが板バネ１９の付勢力で当接している。
【００３５】
そのため、密着型スキャナ３は、第１のブロック部材１８および第２のブロック部材２０に対して、ホルダ１４とともに、当接部２０ａの平面部２０ｂに沿ってＺ方向へ直線状に移動可能となっている。すなわち、本形態では、第１のブロック部材１８のバネ当接部１８ｂと、第２のブロック部材２０の当接部２０ａと、ホルダ１４の突起部１４ｃと、板バネ１９とによって、密着型スキャナ３をＺ方向へ直線状に案内する案内手段が構成されている。
【００３６】
（付勢手段および案内手段の作用）
以上のように構成されたカード状媒体処理装置１では、搬送ローラ６〜８等のカード搬送機構によって、搬送路５でカード状媒体２を搬送しながら、密着型スキャナ３、４でカード状媒体２の表面の読み取りが行われる。
【００３７】
ここで、たとえば、上方向（Ｚ１方向）に湾曲したカード状媒体２が搬送路５で搬送されると、カード状媒体２の湾曲部分が密着型スキャナ３のガラス面に接触する。カード状媒体２の湾曲部分が密着型スキャナ３のガラス面に接触すると、圧縮コイルバネ１５の付勢力に抗して、ホルダ１４とともに密着型スキャナ３がカード状媒体２の湾曲状態に応じて上方向へ退避する。このとき、密着型スキャナ３は、当接部２０ａ、突起部１４ｃおよび板バネ１９等からなる案内手段によって上方向へ直線状に案内される。
【００３８】
また、カード状媒体２の湾曲部分が密着型スキャナ３の下方を通過すると、カード状媒体２の表面が密着型スキャナ３のガラス面から離れるため、圧縮コイルバネ１５の付勢力によって、ホルダ１４とともに密着型スキャナ３が搬送路５に向かって下方向（Ｚ２方向）へ移動する。このとき、密着型スキャナ３は、当接部２０ａ、突起部１４ｃおよび板バネ１９等からなる案内手段によって下方向へ直線状に案内される。
【００３９】
（本形態の主な効果）
以上説明したように、本形態では、圧縮コイルバネ１５が、カード状媒体２の表面に向かって下方向（Ｚ２方向）へ密着型スキャナ３を付勢している。また、当接部２０ａ、突起部１４ｃおよび板バネ１９等からなる案内手段がＺ方向へ密着型スキャナ３を直線状に案内している。そのため、湾曲したカード状媒体２が搬送路５で搬送され、カード状媒体２が密着型スキャナ３に接触して、密着型スキャナ３がカード状媒体２の湾曲状態に応じて上方向（Ｚ１方向）へ退避する場合であっても、密着型スキャナ３を傾斜させずに退避させることができる。したがって、湾曲したカード状媒体２であってもその表面を精度良く読み取ることが可能になり、より精度の高い画像を取得することが可能になる。
【００４０】
また、本形態では、湾曲したカード状媒体２が搬送路５で搬送される場合にのみ、カード状媒体２の湾曲状態に応じて密着型スキャナ３が上方向（Ｚ１方向）へ退避する。そのため、カード状媒体２の湾曲部分および非湾曲部分のそれぞれに対し、安定した被写界深度を保つことができ、精度の高い画像を取得することが可能になる。
【００４１】
本形態では、２本の圧縮コイルバネ１５が、所定の間隔をあけた状態でＹ方向におけるホルダ１４の両端側に配置されている。そのため、Ｙ方向で密着型スキャナ３を傾斜させずに密着型スキャナ３を退避させることができる。したがって、より精度の高い画像を取得することが可能になる。また、本形態では、２本の圧縮コイルバネ１５は、Ｘ方向におけるホルダ１４の略中心位置に配置されている。そのため、Ｘ方向でのホルダ１４の傾斜を抑制することが可能になる。
【００４２】
本形態では、ＹＺ平面に平行な突起部１４ｃの平面部１４ｅと当接部２０ａの平面部２０ｂとが板バネ１９の付勢力で当接している。そのため、比較的簡易な構成で、密着型スキャナ３をＺ方向へ直線状に案内することができる。
【００４３】
本形態では、突起部１４ｃがホルダ１４の手前側に形成され、板バネ１９がホルダ１４の奥側に配置されている。また、突起部１４ｃがＹ方向におけるホルダ１４の両端側の２箇所に形成され、板バネ１９がＹ方向におけるホルダ１４の略中心位置に配置されている。すなわち、密着型スキャナ３を保持するホルダ１４が手前側および奥側から３点で支持されている。そのため、本形態では、退避するときの密着型スキャナ３のＸ方向での傾斜を確実に防止することが可能になる。
【００４４】
本形態では、密着型スキャナ３と密着型スキャナ４とが搬送路５を挟んで対向配置される。そのため、カード状媒体２の両面を読み取るために２個の密着型スキャナ３、４が設けられる場合であっても、Ｘ方向でカード媒体処理装置１を小型化することができる。また、湾曲したカード状媒体２が搬送路５で搬送されると、密着型スキャナ３がカード状媒体２の湾曲状態に応じて退避する。そのため、密着型スキャナ３と密着型スキャナ４とが搬送路５を挟んで対向配置される場合であっても、カード状媒体２と密着型スキャナ３、４とが大きな接触力で接触するのを防止することができる。したがって、密着型スキャナ３と密着型スキャナ４とが搬送路５を挟んで対向配置される場合であっても、搬送路５で搬送されるカード状媒体２の搬送負荷を低減することができる。また、搬送路５に面するように配置される密着型スキャナ３、４のガラス面の損傷を防止することができ、カード状媒体２の表面を読み取る際の、ガラス面の損傷に起因する読み取り品質の低下を防止することができる。
【００４５】
（他の実施の形態）
上述した形態は、本発明の好適な形態の一例ではあるが、これに限定されるものではなく本発明の要旨を変更しない範囲において種々変形実施が可能である。
【００４６】
上述した形態では、密着型スキャナ３は、２本の圧縮コイルバネ１５によって、搬送路５に向かって付勢されている。この他にもたとえば、密着型スキャナ３は、３本以上の圧縮コイルバネ１５によって、搬送路５に向かって付勢されても良いし、１本の圧縮コイルバネ１５によって、搬送路５に向かって付勢されても良い。
【００４７】
また、上述した形態では、圧縮コイルバネ１５によって、密着型スキャナ３が搬送路５に向かって付勢されているが、板バネや引っ張りコイルバネ等の他のバネ部材、あるいは、ゴムやスポンジ等の弾性部材によって、密着型スキャナ３が搬送路５に向かって付勢されても良い。すなわち、付勢部材１５は、板バネや引っ張りコイルバネ等の他のバネ部材であっても良いし、ゴムやスポンジ等の弾性部材であっても良い。
【００４８】
上述した形態では、板バネ１９によって、密着型スキャナ３が手前側に付勢されている。この他にもたとえば、圧縮コイルバネや引っ張りコイルバネ等の他のバネ部材によって、密着型スキャナ３が手前側に付勢されても良い。
【００４９】
上述した形態では、突起部１４ｃがＹ方向におけるホルダ１４の両端側の２箇所に形成され、板バネ１９がＹ方向におけるホルダ１４の略中心位置に配置されている。この他にもたとえば、突起部１４ｃがＹ方向におけるホルダ１４の略中心位置の１箇所に形成され、Ｙ方向におけるホルダ１４の両端側に２枚の板バネ１９が配置されても良い。この場合には、第２のブロック部材２０には、突起部１４ｃに対向配置される１個の当接部２０ａが形成される。
【００５０】
上述した形態では、突起部１４ｃの手前端に平面部１４ｅが形成されるとともに、当接部２０ａの奥端に平面部２０ｂが形成されている。この他にもたとえば、突起部１４ｃの手前端または当接部２０ａの奥端のいずれか一方のみにＹＺ平面に平行な平面部が形成されても良い。
【００５１】
上述した形態では、密着型スキャナ３は、付勢手段１５によって搬送路５に向かって下方向（Ｚ２方向）へ付勢されてＺ方向へ移動可能となっている。また、密着型スキャナ４は、ブロック部材１６に固定されている。この他にもたとえば、搬送路５の上側に配置される密着型スキャナ３が第１のブロック部材１８に固定され、搬送路５の下側に配置される密着型スキャナ４が付勢手段によって搬送路５に向かって上方向（Ｚ１方向）へ付勢されてＺ方向へ移動可能となっても良い。また、密着型スキャナ３、４の両方が、付勢手段によって搬送路５に向かって付勢されてＺ方向へ移動可能となっても良い。
【００５２】
上述した形態では、密着型スキャナ３は、搬送路５を挟んで密着型スキャナ４と対向配置されている。この他にもたとえば、密着型スキャナ３は、搬送路５を挟んで搬送ローラあるいはパッドローラと対向配置されても良い。
【００５３】
なお、上述した形態では、付勢手段１５によって密着型スキャナ３が下方向（Ｚ２方向）に付勢され、湾曲したカード状媒体２が密着型スキャナ３に接触すると、密着型スキャナ３が上方向（Ｚ１方向）に退避するが、付勢手段１５に代えて、搬送路５で湾曲したカード状媒体２が搬送された場合に密着型スキャナ３を上方向へ退避させるリンク機構を設けることも可能である。この場合には、たとえば、密着型スキャナ３よりも手前側に、湾曲したカード状媒体２の湾曲部に接触する接触部材を設け、この接触部材にカード状媒体２の湾曲部が接触したときに密着型スキャナ３が上方向に退避するように、リンク機構を構成すれば良い。
【図面の簡単な説明】
【００５４】
【図１】本発明の実施の形態にかかるカード状媒体処理装置の内部の概略構成を説明するための側面図である。
【図２】図１に示すホルダおよびその周辺部分の構成を示す拡大図である。
【図３】図２のＥ−Ｅ方向からホルダ等の概略構成を示す概略図である。
【符号の説明】
【００５５】
１  カード状媒体処理装置
２  カード状媒体
３  密着型スキャナ（第１密着型スキャナ）
４  密着型スキャナ（第２密着型スキャナ）
５  搬送路
１４  ホルダ（保持部材）
１４ｃ  突起部（案内手段の一部）
１４ｅ  平面部
１５  圧縮コイルバネ（付勢手段）
１８ｂ  バネ当接部（案内手段の一部）
１９  板バネ（付勢部材、案内手段の一部）
２０ａ  当接部（案内手段の一部）
２０ｂ  平面部
Ｘ  カード状媒体の搬送方向
Ｙ  カード状媒体の幅方向
Ｚ  カード状媒体の厚み方向
【図１】
2009303085.tif 000003
【図２】
2009303085.tif 000004
【図３】
2009303085.tif 000005